(57)【要約】【課題】機器の動作状態や次にすべき操作やその選択肢に関する情報を素早く取得することができ、かつこれらの情報を取得しながら必要な操作を進めることができるような使い勝手に優れたヘルプモードを有する電子機器を実現できる。【解決手段】機器の動作状態や操作説明を表示するヘルプモードを有する電子機器であって、機器に操作指示を行う入力手段と、前記ヘルプモードによる動作中において、前記入力手段からの操作指示に応じて前記機器の動作状態を判別する判別手段と、前記判別手段にて判別した前記機器の動作状態に関する表示と判別した前記機器の動作状態にて次に受付可能な操作に関する表示とを表示する表示手段とを備える。【選択図】      図１
2006343956.tif 000002
【特許請求の範囲】
【請求項１】
機器の動作状態や操作説明を表示するヘルプモードを有する電子機器であって、
機器に操作指示を行う入力手段と、
前記ヘルプモードによる動作中において、前記入力手段からの操作指示に応じて前記機器の動作状態を判別する判別手段と、
前記判別手段にて判別した前記機器の動作状態に関する表示と判別した前記機器の動作状態にて次に受付可能な操作に関する表示とを表示する表示手段とを備えることを特徴とする電子機器。
【請求項２】
前記表示手段は、前記機器の動作状態に関する表示の一部と次に受付可能な操作に関する表示の一部を、他の表示に対して視覚的に異なる表示形態により表示することを特徴とする請求項１に記載の電子機器。
【請求項３】
前記表示手段により表示されている次に受付可能な操作とは異なる操作が前記入力手段から操作指示された場合に、前記判別手段は、当該操作の実行を拒絶し、前記表示手段は、少なくとも当該操作が拒絶されたことを示す警告を表示することを特徴とする請求項１又は２に記載の電子機器。
【請求項４】
機器の動作状態や操作説明を表示するヘルプモードを有する電子機器の制御方法であって、
機器に操作指示を行う入力工程と、
前記ヘルプモードによる動作中において、前記入力手段からの操作指示に応じて前記機器の動作状態を判別する判別工程と、
前記判別工程にて判別した前記機器の動作状態に関する表示と次に受付可能な操作に関する表示とを表示する表示工程とを備えることを特徴とする電子機器の制御方法。
【請求項５】
前記表示工程は、前記機器の動作状態に関する表示の一部と次に受付可能な操作に関するガイダンス表示の一部を、他の表示に対して視覚的に異なるように表示することを特徴とする請求項４に記載の方法。
【請求項６】
前記表示工程により表示されている次に受付可能な操作とは異なる操作が前記入力工程にて操作指示された場合に、前記判別工程は、当該操作の実行を拒絶し、前記表示工程は、少なくとも当該操作が拒絶されたことを示す警告を表示することを特徴とする請求項４又は５に記載の方法。
【請求項７】
請求項４乃至６のいずれか１項に記載の制御方法をコンピュータに実行させるためのプログラム。
【請求項８】
請求項７に記載のプログラムを格納したことを特徴とするコンピュータ読み取り可能な記録媒体。
【発明の詳細な説明】
【技術分野】
【０００１】
本発明は、デジタルカメラや携帯電話等の電子機器に関し、特に機器の取扱説明を機器自身が行うヘルプモードを有する電子機器及びその制御方法に関するものである。
【背景技術】
【０００２】
デジタルカメラや携帯電話等の電子機器は年々多機能化が進んでいる一方で、操作を分かりやすくするために、メニューの中から次々と項目を選択して所望の機能にたどり着く操作方法が一般化している。また、一般的なデジタル一眼レフカメラでは、即写性を得るために多くのスイッチを配置するものの、少ない操作で所望の機能を得るような操作系を併用している。このような操作系を有する電子機器では、メニューを階層的にたどらないで済むので所望の機能を少ない操作で得られるものの、多くのスイッチがユーザに難解さを感じさせるという一面があることは否定できない。
【０００３】
近年は、取扱説明書を電子データ化して機器自身のディスプレイに取扱説明を表示するヘルプモードを搭載した機器もある。このような電子取扱説明書を有する電子機器は、冊子の取扱説明書を持ち運ぶ必要がないので便利である。
【０００４】
図８は従来例１の電子機器としてのデジタル一眼レフカメラの外観図、図９は図８のカメラによるヘルプモード時の動作を示すフローチャートである。
【０００５】
図８及び図９において、電源がオンされると、カメラ３０１は背面の液晶表示部３０３ａに所定の表示を行う。その後、操作が適宜進められたとして、ユーザが電子取扱説明書を必要としてヘルプモードスイッチ３０２ｅを押下すると（S301）、液晶表示部３０３ａには電子取扱説明書が表示される（Ｓ３０２）。ユーザが電子取扱説明書の索引や目次を利用して自分が見たい箇所を探して指定すると該当箇所が表示され、ユーザは必要とした情報を得ることができる（Ｓ３０３，Ｓ３０４）。その後再びヘルプモードスイッチ３０２ｅが押下されると液晶表示部３０３ａは通常の表示に戻る。
【０００６】
従来例２は、電子機器の電子取扱説明書の使い勝手をよくする工夫をしたものであり（特許文献１参照）、図１０は従来例２の電子機器としてのデジタル一眼レフカメラの外観図、図１１は図１０のカメラによるヘルプモード時の動作を示すフローチャートである。
【０００７】
図１０及び図１１において、電源がオンされると、カメラ４０１は背面の液晶表示部４０３ａに所定の表示を行う。その後、操作が適宜進められたとして、ユーザが電子取扱説明書を必要としてヘルプモードスイッチ４０２ｅを押下し（Ｓ４０１）、更にヘルプモードスイッチ４０２ｅ以外の任意のスイッチが操作されると、そのスイッチ操作を判別すると共に（Ｓ４０２）、そのスイッチ操作に関する情報（ヘルプデータ）を記憶メディア等から読み出し（Ｓ４０３）、液晶表示部４０３ａには電子取扱説明書の操作されたスイッチの説明が表示される（Ｓ４０４）。例えば、ヘルプモードスイッチ４０２ｅを押下した後、測距点選択スイッチ４０２ｋを操作すると、測距点選択スイッチ４０２ｋの機能や説明等が表示され、ユーザは測距点選択スイッチ４０２ｋに関する情報を得ることができる。その後再びヘルプモードスイッチ４０２ｅが押下されると液晶表示部４０３ａは通常の表示に戻る。
【特許文献１】特開平１０−２００７９８号公報
【発明の開示】
【発明が解決しようとする課題】
【０００８】
しかしながら、上記従来例１では、電子取扱説明書の所望の箇所をユーザが探して指定する必要があるため、必要な情報が得られるまでに手間と時間を要するという不都合がある。
【０００９】
また、上記従来例２ではスイッチ機能の説明が得られるだけなので、機器がどのような動作状態にあり、次にどのような操作をすればよいのか、どのような操作の選択肢があるのかという情報は得られない。
【００１０】
更に、上記従来例はいずれも、電子取扱説明書を表示しながら必要な操作を進めることができないため、電子取扱説明書の表示と実際の操作とを交互にくり返して操作を進める必要がある。
【００１１】
本発明は、上記課題に鑑みてなされ、その目的は、機器の動作状態や次にすべき操作やその選択肢に関する情報を素早く取得することができ、かつこれらの情報を取得しながら必要な操作を進めることができるような使い勝手に優れたヘルプモードを有する電子機器を実現でき、多機能な電子機器を簡単に使いこなせるようにすることである。
【課題を解決するための手段】
【００１２】
上記課題を解決し、目的を達成するために、本発明の電子機器は、機器の動作状態や操作説明を表示するヘルプモードを有する電子機器であって、機器に操作指示を行う入力手段と、前記ヘルプモードによる動作中において、前記入力手段からの操作指示に応じて前記機器の動作状態を判別する判別手段と、前記判別手段にて判別した前記機器の動作状態に関する表示と判別した前記機器の動作状態にて次に受付可能な操作に関する表示とを表示する表示手段とを備える。
【００１３】
また、本発明の電子機器の制御方法は、機器の動作状態や操作説明を表示するヘルプモードを有する電子機器の制御方法であって、機器に操作指示を行う入力工程と、前記ヘルプモードによる動作中において、前記入力手段からの操作指示に応じて前記機器の動作状態を判別する判別工程と、前記判別工程にて判別した前記機器の動作状態に関する表示と次に受付可能な操作に関する表示とを表示する表示工程とを備える。
【発明の効果】
【００１４】
本発明によれば、機器の動作状態や次にすべき操作やその選択肢に関する情報を素早く取得することができ、かつこれらの情報を取得しながら必要な操作を進めることができるような使い勝手に優れたヘルプモードを有する電子機器を実現でき、多機能な電子機器を簡単に使いこなせるようになる。
【発明を実施するための最良の形態】
【００１５】
以下に、添付図面を参照して本発明の好適な実施形態について詳細に説明する。
【００１６】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１７】
［第１の実施形態］
図１は本発明の電子機器を適用したデジタルカメラのブロック図、図２は本発明の電子機器を適用したデジタルカメラの外観図、図３は第１の実施形態のカメラの動作を示すフローチャート、図４は第１の実施形態のカメラのヘルプモードにおける表示例である。
【００１８】
図１において、１０１は電子機器としてのデジタル一眼レフカメラ（以下、「カメラ」という。）である。１０は撮影レンズ、１２は絞り機能を備えるシャッタ、１４は光学像を電気信号に変換する撮像素子、１６は撮像素子１４のアナログ信号出力をデジタル信号に変換するＡ／Ｄ変換器である。
【００１９】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２０】
２０は画像処理回路であり、Ａ／Ｄ変換器１６からのデータあるいはメモリ制御回路２２からのデータに対して所定の画素補間処理や色変換処理を行う。
【００２１】
また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（ストロボプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２３】
Ａ／Ｄ変換器１６のデータが画像処理回路２０、メモリ制御回路２２を介して、あるいはＡ／Ｄ変換器１６のデータが直接メモリ制御回路２２を介して、画像表示メモリ２４あるいはメモリ３０に書き込まれる。
【００２４】
２４は画像表示メモリ、２６はＤ／Ａ変換器、２８は画像表示部であり、画像表示メモリ２４に書き込まれた表示用の画像データは、Ｄ／Ａ変換器２６を介して画像表示部２８により表示される。画像表示部２８を用いて撮像した画像データを逐次表示すれば、ＥＶＦ（電子ビューファインダ）機能を実現することが可能である。
【００２５】
また、画像表示部２８は、システム制御回路５０の指示により任意に表示をオン／オフすることが可能であり、表示をオフにした場合はカメラ１０１の電力消費を大幅に低減することが出来る。
【００２６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合、また、動画像撮影中に任意のタイミングで静止画像を記録する場合にも、高速かつ大量の画像書き込みをメモリ３０に対して行うことが可能となる。また、メモリ３０はシステム制御回路５０の作業領域としても使用することが可能である。
【００２７】
３２は適応離散コサイン変換（ＡＤＣＴ）等により画像データを圧縮伸長する圧縮・伸長回路であり、メモリ３０に格納された画像を読み込んで圧縮処理あるいは伸長処理を行い、処理を終えたデータをメモリ３０に書き込む。
【００２８】
４０は絞り機能を備えるシャッタ１２を制御する露光制御部であり、ストロボ４８と連携することによりストロボ調光機能も有するものである。
【００２９】
４２は撮影レンズ１０のフォーカシングを制御する測距制御部、４４は撮影レンズ１０のズーミングを制御するズーム制御部、４６はバリアである保護手段９の動作を制御するバリア制御部である。
【００３０】
４８はストロボであり、ＡＦ補助光の投光機能、ストロボ調光機能も有する。
【００３１】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３２】
５０はカメラ１０１全体を制御するシステム制御回路、５２はシステム制御回路５０の動作用の定数、変数、プログラム等を記憶するメモリである。
【００３３】
１０３はシステム制御回路５０でのプログラムの実行に応じて、文字、画像、音声等を用いて動作状態や後述するヘルプ表示のメッセージ等を表示する液晶パネル及びスピーカー等からなる表示部であり、カメラ１０１の背面等の視認し易い位置に設置されており、後述するようにメイン表示部とサブ表示部とを有する。
【００３４】
表示部１０３の表示内容のうち、ＬＣＤ等に表示するものとしては、動画像撮影中の画像データバッファの使用状況表示、動作モード表示、シングルショット/連写撮影表示、セルフタイマー表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体１３０及び１４０の着脱状態表示、通信Ｉ／Ｆ動作表示、日付・時刻表示等がある。
【００３５】
５６は電気的に消去・記録可能な不揮発性メモリであり、例えばＥＥＰＲＯＭ等が用いられる。
【００３６】
１０２は、後述するように、システム制御回路５０の各種の動作指示を入力するための操作部であり、後述するように、スイッチやダイアル、タッチパネル、視線検知によるポインティング、音声認識装置等の単数あるいは複数の組合せで構成される。
【００３７】
８０は電源制御部で、電源検出回路、ＤＣ−ＤＣコンバータ、通電するブロックを切り換えるスイッチ回路等により構成されており、外部電源の接続の有無、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター、又は外部バッテリ等からなる電源である。
【００３９】
９０及び９４はメモリカードやハードディスク等の記録媒体とのインターフェース、９２及び９６はメモリカードやハードディスク等の記録媒体と接続を行うコネクタ、９８はコネクタ９２及びあるいは９６に記録媒体１３０あるいは１４０が装着されているか否かを検知する記録媒体着脱検知部である。
【００４０】
インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４１】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４２】
１１２は通信部１１０によりカメラ１０１を他の機器と接続するコネクタあるいは無線通信の場合はアンテナである。
【００４３】
１３０はメモリカードやハードディスク等の記録媒体である。
【００４４】
記録媒体１３０は、半導体メモリや磁気ディスク等から構成される記録部１３２、カメラ１０１とのインターフェース１３４、カメラ１０１と接続を行うコネクタ１３６を備えている。
【００４５】
１４０はメモリカードやハードディスク等の記録媒体である。
【００４６】
記録媒体１４０は、半導体メモリや磁気ディスク等から構成される記録部１４２、カメラ１０１とのインターフェース１４４、カメラ１０１と接続を行うコネクタ１４６を備えている。
【００４７】
図２にカメラ１０１の外観を示すように、カメラ１０１において、１０２ａは電源スイッチで、レバーの回動操作によってカメラに対する電源のオン・オフを行う。１０２ｂはモードダイヤルスイッチで、回転操作によってカメラの動作モードを、例えばフルオート・シャッター優先・絞り優先・マニュアルの各モードや、夜景・スポーツ・ポートレートの各モード等を選択できる。１０２ｃはレリーズスイッチで、押下されると被写体の光学像を取り込むためのシャッターレリーズ動作を行う。１０２ｄはセルフタイマー／リモコンモードスイッチで、押下されるとセルフタイマー／リモコンモードとなり、レリーズスイッチが押下されるとセルフタイマーによるレリーズ動作を行い、図示しないリモコン送信機からの操作信号を受信すると所定時間後にレリーズ動作を行う。１０２ｅはヘルプモードスイッチで、押下するとヘルプモードに切り替わる。このヘルプモードについては後述する。
【００４８】
カメラ１０１には図示の如く他にも操作スイッチが設けられているが本願発明には直接かかわりがないので説明を省略する。１０３ａはＴＦＴ液晶表示装置（以下、「メイン表示部」という。）であり、撮影された画像を再生したり、カメラの動作状態等を表示したりすることができる。１０３ｂはＴＮ液晶表示装置（以下、「サブ表示部」という。）で、カメラの動作状態等を表示する。１０４は光学ファインダで、図示しないピント板に結像した被写体の光学像を観察して構図を確認できる。
【００４９】
次に、図３を参照して上記カメラ１０１の動作について説明する。
【００５０】
図３において、ユーザによりカメラ１０１の電源スイッチ１０２ａがオンされると（Ｓ１０１）、システム制御回路５０は、前回、電源がオフされたときのカメラの状態を判別し（Ｓ１０２）、その判別結果に応じて通常モードでの動作及び表示を行う（Ｓ１０３）。その後、ヘルプモードスイッチ１０２ｅが押下されたか判断し、ヘルプモードスイッチ１０２ｅが操作されなければ（Ｓ１０４でＮＯ）、システム制御回路５０はユーザのスイッチ操作に応じた通常モードでの動作及び表示を継続する。一方で、ヘルプモードスイッチ１０２ｅが操作されたならば（Ｓ１０４でＹＥＳ）、システム制御回路５０はその時の動作状態を判別し（Ｓ１０５）、判別結果に応じたヘルプ表示を行う（Ｓ１０６）。そして、このヘルプ表示の後にヘルプスイッチ１０２ｅがオフされてヘルプモードが解除されると（Ｓ１０７でＹＥＳ）、通常モードに戻って動作及び表示を行う（Ｓ１０３）。一方で、ヘルプモードが継続された状態で（Ｓ１０７でＮＯ）、ユーザがカメラ１０１の任意のスイッチを操作すると、システム制御回路５０はヘルプモードのままそのスイッチ操作に応じた動作を実行してＳ１０５で判別された動作状態が更新されるため（Ｓ１０８）、動作後の状態を再度判別し（Ｓ１０５）、その新たな判別結果に基づいた新たなヘルプ表示を行う（Ｓ１０６）。
【００５１】
次に、上記ヘルプモードについて説明する。
【００５２】
ヘルプモードとは、ユーザがカメラ１０１の操作の仕方がわからない時等にヘルプモードスイッチ１０２ｅを押下すると実行されるもので、カメラ１０１の記録媒体１３０や１４０に格納されたヘルプデータ（電子説明書）を利用して、メイン表示部１０３ａに操作説明等の情報を表示することにより操作を補助するものである。
【００５３】
以下に、カメラ１０１をフルオートモードで使用する場合の動作について例示的に説明する。
【００５４】
先ず一般的な操作手順を説明すると、ユーザはカメラ１０１の電源スイッチ１０２ａにより電源をオンし、モードダイヤルスイッチ１０２ｂを回転させてフルオートモードを示すアイコンを選択し、光学ファインダ１０４を覗いて構図を決定し、レリーズスイッチ１０２ｃを押下する。
【００５５】
レリーズスイッチ１０２ｃは、半押しでＡＦ処理、ＡＥ処理、ＡＷＢ処理、ＥＦ処理等の動作開始を指示する。また、レリーズスイッチ１０２ｃは全押しで撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１３０，１４０に画像データを書き込む記録処理という一連の処理の動作開始を指示する。
【００５６】
次に、ユーザがヘルプモードを使用した場合のスイッチ操作およびカメラ１０１の動作について説明する。
【００５７】
電源スイッチ１０２ａをオンした後それ以降の操作が分からなくなった場合、ユーザがヘルプモードスイッチ１０２ｅを押下するとヘルプモードが実行される。この場合、電源スイッチ１０２ａのオン後、メイン表示部１０３ａには図４（Ａ）の如くモードダイヤルスイッチ１０２ｂを回転させて動作モードを選択するよう促す画像及びメッセージが表示される。このヘルプ表示に従ってモードダイヤルスイッチ１０２ｂを回転すると、メイン表示部１０３ａにはモードダイヤルスイッチ１０２ｂの各回転位置毎に各撮影動作モードの説明が表示される。つまり、ユーザがモードダイヤルスイッチ１０２ｂを回転操作して、撮影動作モードを選択すると、選択した撮影動作モードの説明がメイン表示部１０３ａに表示される。
【００５８】
図４（Ｂ）はモードダイヤルスイッチ１０２ｂでフルオートモードを選択した場合の表示例である。メイン表示部１０３ａには、フルオートモードの説明が表示されるとともに、次に操作すべき項目がガイダンス表示されている。図４（Ｂ）では、次の操作として「セルフ/リモコンボタン」と「シャッターボタン」があることをガイダンスしている。このガイダンスに表示に従って、レリーズスイッチ１０２ｃが押下されると、カメラ１０１は前述のレリーズ動作を行う。こうして、結果的にユーザはフルオートモードの撮影を正しく進めることができる。一方、ユーザがセルフタイマー撮影を意図していたときは、図４（Ｂ）のガイダンス表示に従ってセルフタイマー／リモコンモードスイッチ１０２ｄを操作し、その後にレリーズスイッチ１０２ｃを操作する。こうすることで、やはり結果的にユーザはフルオートモードでのセルフタイマー撮影を正しく進めることができる。
【００５９】
以上に説明した特徴は、カメラがヘルプモード中であってもスイッチ操作による動作を受け付ける点にある。これにより、ヘルプモードの実行・解除を繰返すことなく操作を進行させることができる。
【００６０】
他の特徴は、ヘルプモードにおいてカメラを操作すると、その操作によって変化するカメラの動作状態に合わせて、ヘルプ表示される内容も変化することにある。これにより、カメラの現在の動作状態に対応したヘルプ表示を行うことができる。
【００６１】
更に他の特徴は、ヘルプ表示において次の操作または次の操作の選択肢を表示することである。これにより、次の操作が明確になりカメラが一層容易に扱えるようになる。
【００６２】
以上のように、使い勝手に優れたヘルプ機能（電子取扱説明書）を有するカメラを実現し、多機能なカメラを簡単に使いこなすことができるようになる。
【００６３】
［第２の実施形態］
図５は本発明の電子機器を適用したデジタルカメラの外観図、図６は第２の実施形態のカメラの動作を示すフローチャート、図７は第２の実施形態のカメラのヘルプモードにおける表示例である。
【００６４】
先ず、第２の実施形態のカメラの構成について説明する。
【００６５】
図５に示すように、カメラ２０１はデジタル一眼レフカメラ（以下、「カメラ」という。）で、主たる構成は図１や図２で説明した第１の実施形態と同様である。また、第１の実施形態と同様の機能を有する表示部やスイッチ類には、２００番台の符号としてその末尾に同じ番号・記号を付与し説明を省略する。
【００６６】
２０２ｆはダイヤルスイッチで、回転させて所望のシャッター速度等の選択・設定を行う。２０２ｇはサブダイヤルスイッチで、回転させて所望の露出補正値等の選択・設定を行う。２０２ｈは露出補正スイッチで押下すると露出補正モードとなり、サブダイヤルスイッチ２０２ｇを回転させて露出補正の程度を設定する。２０２ｉはドライブモード選択スイッチで、押下するたびにレリーズ時の動作が単写・連写・セルフタイマー／リモコン・単写・連写…と切替わる。２０２ｊは十字キーで、主にメイン表示部２０３ａに表示されたメニューの選択やスクロールに使用する。カメラ２０１には図示の如く他にも操作スイッチが設けられているが、ここでの説明は省略する。２０３ａはメイン表示部、２０３ｂはサブ表示部、２０４は光学ファインダで第１の実施形態と同様の機能を持つ。
【００６７】
以下では、ユーザがシャッター速度優先モードで１／１０００のシャッター速度で＋１段の露出補正をかけて連写撮影をする場合の動作について説明する。
【００６８】
ユーザはカメラ２０１の電源スイッチ２０２ａを操作して電源をオンし、モードダイヤルスイッチ２０２ｂを回転させてシャッター速度優先モードを意味するアイコンを選択し、サブ表示部２０３ｂを見ながらダイヤルスイッチ２０２ｆを回転させて１／１０００のシャッター速度を選択する。次に、露出補正スイッチ２０２ｈを押下して露出補正モードにして、サブ表示部２０３ｂを見ながらサブダイヤルスイッチ２０２ｇを回転させて＋１段の露出補正状態にし、再度露出補正スイッチ２０２ｈを押下して露出補正モードを解除する。その後、ドライブモードスイッチ２０２ｉを押下して連写を選択し、ファインダ２０４を覗いて構図を決定し、レリーズスイッチ２０２ｃを押下する。
【００６９】
レリーズスイッチ２０２ｃは、第１の実施形態と同様に、半押しでＡＦ処理、ＡＥ処理、ＡＷＢ処理、ＥＦ処理等の動作開始を指示する。また、レリーズスイッチ１０２ｃは全押しで撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１３０，１４０に画像データを書き込む記録処理という一連の処理の動作開始を指示する。また、レリーズスイッチ２０２ｃが押下されている間は画像の取り込み動作を繰り返し行う。
【００７０】
次に、図６を参照して上記カメラの動作について説明する。なお、図６のＳ２０１〜Ｓ２０４は、図３のＳ１０１〜Ｓ１０４と同様の処理であるので説明を省略する。
【００７１】
図６において、第１の実施形態との相違点は、ヘルプモードにおいてスイッチが操作されたならば（Ｓ２０８）、その操作が適切かどうかを判断する（Ｓ２０９）ところである。
【００７２】
すなわち、スイッチ操作が適切であれば（Ｓ２０９でＹＥＳ）、システム制御回路５０はヘルプモードを維持したままその操作に応じた動作を実施してカメラの状態を更新する（Ｓ２１０）。その後、カメラの状態を再度判別し（Ｓ２０５）、新たなカメラの状態に基づいて、新たなヘルプ表示を行う（Ｓ２０６）。一方で、不適切な操作であれば（Ｓ２０９でＮＯ）、スイッチ操作に応じた動作を実行せず、警告表示を行う（Ｓ２１１）。
【００７３】
次に、露出補整の設定中にユーザがヘルプモードを使用した場合のスイッチ操作およびカメラ２０１の動作について説明する。なお、ヘルプモード時以外のカメラ２０１の動作については省略する。
【００７４】
さて、ユーザがダイヤルスイッチ２０２ｆによりシャッター速度を選択した後、ヘルプモードスイッチ２０２ｅを押下するとヘルプモードが実行される。このときのカメラ２０１の状態は、シャッター速度１／１０００が選択された状態であるので、メイン表示部２０３ａには図７（Ａ）の如くシャッター速度の表示と次の操作の選択肢がガイダンス表示される。
【００７５】
第１の実施形態のフルオートモードとは異なり、シャッター速度優先モードでは操作の選択肢が多岐にわたるため、表示しきれない操作の選択肢は十字キー２０２ｊにより画面をスクロールすることにより表示される旨のメッセージも表示されている。ここで、ユーザが露出補正スイッチ２０２ｈを押下すると、カメラ２０１は露出補正モードになると同時に、メイン表示部２０３ａの表示は図７（Ｂ）の如くサブダイヤルスイッチ２０２ｇを操作して露出補正値の選択を促すガイダンス表示となる。このとき、操作の選択肢はサブダイヤルスイッチ２０２ｇを操作して露出補正値を設定するか、露出補正を止めるため露出補正スイッチ２０２ｈを操作して露出補正モードを終了させるかのいずれかとなり、その他の操作はできない。このときユーザが露出補正値の設定、露出補正モードの終了以外の操作をすると、図７（Ｃ）のようにメイン表示部２０３ａに、その操作は現在受け付けられない操作であることを示す画像やメッセージと次に選択可能な操作もしくは操作可能な項目に関する選択肢がガイダンス表示される。このユーザが露出補正を行った後、露出補正スイッチ２０２ｈを押下して露出補正モードを終了し、さらにヘルプモードスイッチ２０２ｅを押下するとヘルプモードが終了する。この後は上述のように連写のドライブモードを選択して撮影を行う。
【００７６】
本実施形態の特徴は、図７（Ａ）の表示においてシャッター速度の表示と次の選択肢の表示のみが他の表示に対して視覚的に区別されて目立つように表示されているところである。これにより、ユーザは現在のカメラ２０１の動作状態と次にすべき操作の選択肢とを容易に把握できる。
【００７７】
また、他の特徴は、ユーザが次に選択可能な操作以外の操作、例えば露出補正モードにおいてダイヤルスイッチ２０２ｅを操作したとしても、カメラ２０１はその操作を受け付けず、所定時間警告を表示するところである。これにより、ユーザ自身が誤操作してしまったことと、次にすべき正しい操作を容易に把握できる。
【００７８】
以上、シャッター速度優先モードで１／１０００のシャッター速度で＋１段の露出補正をかけて連写撮影をする場合において、露出補正の設定時にヘルプモードを使用する場合の動作を説明したが、他の動作モードや設定変更の際にもそれぞれに応じた適切な表示が行われることは言うまでもない。また、警告に関しては音声や振動等を併用してもよい。
【００７９】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００８０】
尚、本発明は、前述した実施形態の機能を実現するソフトウェアのプログラム（実施形態では図示の各フローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８１】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８２】
その場合、プログラムの機能を有していれば、オブジェクトコード、インタプリタにより実行されるプログラム、ＯＳに供給するスクリプトデータ等の形態であっても良い。
【００８３】
プログラムを供給するための記録媒体（記憶媒体）としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００８７】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８８】
【図１】本発明の電子機器を適用したデジタルカメラのブロック図である。
【図２】本発明の電子機器を適用したデジタルカメラの外観図である。
【図３】第１の実施形態のカメラの動作を示すフローチャートである。
【図４】第１の実施形態のカメラのヘルプモードにおける表示例である。
【図５】本発明の電子機器を適用したデジタルカメラの外観図である。
【図６】第２の実施形態のカメラの動作を示すフローチャートである。
【図７】第２の実施形態のカメラのヘルプモードにおける表示例である。
【図８】従来例１の電子機器としてのデジタル一眼レフカメラの外観図である。
【図９】図８のカメラによるヘルプモード時の動作を示すフローチャートである。
【図１０】従来例２の電子機器としてのデジタル一眼レフカメラの外観図である。
【図１１】図１０のカメラによるヘルプモード時の動作を示すフローチャートである。
【符号の説明】
【００８９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  ストロボ
５０  システム制御部
５２  メモリ
５４  表示部
５６  不揮発性メモリ
８０  電源制御部
１０２  操作部
１０１，２０１  デジタル一眼レフカメラ
１０２ａ，２０２ａ  電源スイッチ
１０２ｂ，２０２ｂ  モードダイヤルスイッチ
１０２ｃ，２０２ｃ  レリーズスイッチ
１０２ｄ，２０２ｄ  セルフタイマー／リモコンスイッチ
１０２ｅ，２０２ｅ  ヘルプモードスイッチ
２０２ｆ  ダイヤルスイッチ
２０２ｇ  サブダイヤルスイッチ
２０２ｈ  露出補正スイッチ
２０２ｉ  ドライブモードスイッチ
２０２ｊ  十字キー
２０２ｋ  測距点選択スイッチ
１０３ａ，２０３ａ  メイン表示部
１０３ｂ，２０３ｂ  サブ表示部
１０４，２０４  光学ファインダ
【図１】
2006343956.tif 000003
【図２】
2006343956.tif 000004
【図３】
2006343956.tif 000005
【図４】
2006343956.tif 000006
【図５】
2006343956.tif 000007
【図６】
2006343956.tif 000008
【図７】
2006343956.tif 000009
【図８】
2006343956.tif 000010
【図９】
2006343956.tif 000011
【図１０】
2006343956.tif 000012
【図１１】
2006343956.tif 000013